(57)【特許請求の範囲】
【請求項１】
時間軸上に周期的に現れる複数波形を有する生体情報波形を表す生体情報波形データを取得する取得工程と、
前記生体情報波形に含まれる各々の波形の所定の計測項目を計測するための複数の計測点を決定することで、前記生体情報波形データを解析する解析工程と、
前記生体情報波形及び各計測点を示す計測点表示体を表示部に表示させる表示工程と、
操作者からの入力操作に従って、前記複数波形のうちの第１波形の前記所定の計測項目を計測するための第１計測点を修正する第１修正工程と、
前記修正された第１計測点を参照計測点として記録する記録工程と、
前記第１波形と類似する波形を前記複数波形から抽出する抽出工程と、
前記参照計測点に基づいて、前記抽出された波形の前記所定の計測項目を計測するための計測点を修正する第２修正工程と、を含む、コンピュータによって実行される計測点修正方法。
【請求項２】
前記第１修正工程では、前記第１計測点を示す第１計測点表示体に対する前記操作者の所定の操作に従って、前記第１計測点は修正される、請求項１に記載の計測点修正方法。
【請求項３】
前記抽出工程では、相関関数又は最短距離法を用いて前記第１波形と類似する波形が前記複数波形から抽出される、請求項１又は請求項２に記載の計測点修正方法。
【請求項４】
前記第２修正工程で修正された計測点を示す計測点表示体を前記表示部に表示させる工程をさらに含む請求項１から請求項３のうちいずれか一項に記載の計測点修正方法。
【請求項５】
前記生体情報波形は、時間軸上に周期的に現れる複数の心拍波形を有する心電図波形である、請求項１から請求項４のうちいずれか一項に記載の計測点修正方法。
【請求項６】
前記所定の計測項目はＱＴ間隔を含む、請求項５に記載の計測点修正方法。
【請求項７】
前記第１計測点はＱＴ間隔の終点に相当し、
前記抽出工程で抽出された波形の計測点はＱＴ間隔の終点に相当する、請求項６に記載の計測点修正方法。
【請求項８】
時間軸上に周期的に現れる複数波形を有する生体情報波形を表す生体情報波形データを取得するように構成された取得部と、
前記生体情報波形に含まれる各々の波形の所定の計測項目を計測するための複数の計測点を決定することで、前記生体情報波形データを自動的に解析するように構成された自動解析部と、
前記生体情報波形及び各計測点を示す計測点表示体を表示部に表示させるように構成された表示制御部と、
操作者からの入力操作に従って、前記複数波形のうちの第１波形の前記所定の計測項目を計測するための第１計測点を修正するように構成された第１修正部と、
前記修正された第１計測点を参照計測点として記録するように構成された記録部と、
前記第１波形と類似する波形を前記複数波形から抽出するように構成された抽出部と、
前記参照計測点に基づいて、前記抽出された波形の前記所定の計測項目を計測するための計測点を自動的に修正するように構成された第２修正部と、を備える計測点自動修正装置。
【請求項９】
前記第１計測点を示す第１計測点表示体に対する前記操作者の所定の操作に従って、前記第１修正部は、前記第１計測点を修正するように構成されている、請求項８に記載の計測点自動修正装置。
【請求項１０】
前記抽出部は、相関関数又は最短距離法を用いて前記第１波形と類似する波形を前記複数波形から抽出するように構成されている、請求項８又は請求項９に記載の計測点自動修正装置。
【請求項１１】
前記表示制御部は、前記第２修正部によって修正された計測点を示す計測点表示体を前記表示部に表示させるように構成されている、請求項８から請求項１０のうちいずれか一項に記載の計測点自動修正装置。
【請求項１２】
前記生体情報波形は、時間軸上に周期的に現れる複数の心拍波形を有する心電図波形である、請求項８から請求項１１のうちいずれか一項に記載の計測点自動修正装置。
【請求項１３】
前記所定の計測項目はＱＴ間隔を含む、請求項１２に記載の計測点自動修正装置。
【請求項１４】
前記第１計測点はＱＴ間隔の終点に相当し、
前記抽出工程で抽出された波形の計測点はＱＴ間隔の終点を示す、請求項１３に記載の計測点自動修正装置。
【請求項１５】
時間軸上に周期的に現れる複数波形を有する生体情報波形を表す生体情報波形データを取得する機能と、
前記生体情報波形に含まれる各々の波形の所定の計測項目を計測するための複数の計測点を決定することで、前記生体情報波形データを自動的に解析する機能と、
前記生体情報波形及び各計測点を示す計測点表示体を表示部に表示させる機能と、
操作者からの入力操作に従って、前記複数波形のうちの第１波形の前記所定の計測項目を計測するための第１計測点を修正する機能と、
前記修正された第１計測点を参照計測点として記録する機能と、
前記第１波形と類似する波形を前記複数波形から抽出する機能と、
前記参照計測点に基づいて、前記抽出された波形の前記所定の計測項目を計測するための計測点を自動的に修正する機能と、をコンピュータに実現させるための計測点自動修正プログラム。
【請求項１６】
請求項１５に記載の計測点自動修正プログラムが記憶されたコンピュータ読取可能な記憶媒体。
【発明の詳細な説明】
【技術分野】
【０００１】
本発明は、計測点自動修正方法に関する。また、本発明は、計測点自動修正装置、計測点自動修正プログラム及び当該計測点自動修正プログラムが記憶されたコンピュータ読取可能な記憶媒体に関する。
【背景技術】
【０００２】
従来、時間軸上に周期的に現れる複数波形を有する生体情報波形を解析することで患者の診断を行う場合には、当該生体情報波形を解析する解析装置から出力される自動解析結果に基づいて患者の診断が行われていた。または、当該解析装置によって決定された各波形を計測するための計測点を操作者が目視により修正することで自動解析結果を修正し、当該修正された自動解析結果に基づいて患者の診断が行われていた。
【０００３】
例えば、生体情報波形の一種であるホルター心電図波形を用いたホルター心電図検査では、ホルター心電図波形を解析する解析装置によって得られる自動解析結果と、操作者がホルター心電図波形を手動で解析することで得られる手動解析結果との間には相違が存在する場合がある。このため、ホルター心電図検査では、操作者は、当該解析装置によって決定された計測点を目視により修正することで自動解析結果を修正し、当該修正された自動解析結果に基づいて患者の診断を行っていた。
【０００４】
また、特許文献１は、解析装置によって得られたホルター心電図波形の自動解析結果を効率的に編集できる技術を開示している。特に、特許文献１では、操作者が、心拍波形データのトレンドグラフから特徴的な心拍群を容易かつ直感的に選択することで、心拍波形データの自動分類結果を編集することができる技術が開示されている。
【先行技術文献】
【特許文献】
【０００５】
【特許文献１】特許第４８２４３５０号公報
【発明の概要】
【発明が解決しようとする課題】
【０００６】
しかしながら、特許文献１に開示された技術では、膨大な量の心拍波形データ内に特徴的な心拍群が多数存在する。解析装置によって自動的に決定された計測点が間違っている場合、操作者は、計測点を目視により修正することで自動解析結果を修正する必要があるため、当該修正作業に非常に多くの手間を要する。また、上記のホルター心電図検査においても、操作者は、解析装置によって決定された計測点を目視により修正することで自動解析結果を修正する必要があるため、当該修正作業に多くの手間を要する。
【０００７】
本発明は、計測点の修正作業を行う操作者の負荷を軽減することが可能な計測点自動修正方法を提供することを目的とする。
また、当該計測点自動修正方法を実現するための計測点自動修正装置、計測点自動修正プログラム、及び当該計測点自動修正プログラムが記憶されたコンピュータ読取可能な記憶媒体を提供することを目的とする。
【課題を解決するための手段】
【０００８】
本発明の一態様に係る計測点自動修正方法は、
時間軸上に周期的に現れる複数波形を有する生体情報波形を表す生体情報波形データを取得する取得工程と、
前記生体情報波形に含まれる各々の波形の所定の計測項目を計測するための複数の計測点を決定することで、前記生体情報波形データを自動的に解析する自動解析工程と、
前記生体情報波形及び各計測点を示す計測点表示体を表示部に表示させる表示工程と、
操作者からの入力操作に従って、前記複数波形のうちの第１波形の前記所定の計測項目を計測するための第１計測点を修正する第１修正工程と、
前記修正された第１計測点を参照計測点として記録する記録工程と、
前記第１波形と類似する波形を前記複数波形から抽出する抽出工程と、
前記参照計測点に基づいて、前記抽出された波形の前記所定の計測項目を計測するための計測点を自動的に修正する第２修正工程と、
を含む。
【０００９】
上記方法によれば、操作者からの入力操作に従って修正された第１計測点が参照計測点として記録され、当該参照計測点に基づいて第１波形と類似する他の波形の計測点が自動的に修正される。
このように、計測点の修正作業を行う操作者の負荷を軽減することが可能な計測点自動修正方法を提供することができる。
さらに、当該計測点自動修正方法によれば、生体情報波形の解析結果に基づく診断を早く行うことが可能となる。
【００１０】
前記第１修正工程では、前記第１計測点を示す第１計測点表示体に対する前記操作者の所定の操作に従って、前記第１計測点は修正されてもよい。
【００１１】
操作者は第１計測点表示体を見ながら、第１計測点表示体に所定の操作を行うことができる。この操作者の所定の操作を通じて第１計測点は修正される。
【００１２】
前記抽出工程では、相関関数又は最短距離法を用いて前記第１波形と類似する波形が前記複数波形から抽出されてもよい。
【００１３】
相関関数又は最短距離法を用いることで前記第１波形と類似する波形を複数波形から抽出することができる。
【００１４】
計測点自動修正方法は、前記第２修正工程で修正された計測点を示す計測点表示体を前記表示部に表示させる工程をさらに含んでいてもよい。
【００１５】
前記第２修正工程で修正された計測点を示す計測点表示体が前記表示部に表示されるので、操作者は修正された計測点が正しいかどうかを目視で確認することができる。
【００１６】
前記生体情報波形は、時間軸上に周期的に現れる複数の心拍波形を有する心電図波形であってもよい。
【００１７】
本発明に係る計測点自動修正方法は、大量の心拍波形を有する心電図波形に特に有利に用いられる。
【００１８】
前記所定の計測項目はＱＴ間隔を含んでもよい。
【００１９】
ＱＴ間隔は、自動計測が難しい計測項目であり、特に、解析装置等は、ＱＴ間隔を計測するための計測点を間違って決定する傾向がある。このように、上記方法によれば、ＱＴ間隔の計測点の修正作業を行う操作者の負荷を大きく減らすことが可能となる。
【００２０】
前記第１計測点はＱＴ間隔の終点に相当し、前記抽出工程で抽出された波形の計測点はＱＴ間隔の終点に相当してもよい。
【００２１】
ＱＴ間隔の計測点のうちＱＴ間隔の終点に相当する計測点を自動的に決定するのは特に難しい。一方、上記方法によれば、ＱＴ間隔の終点に相当する参照計測点に基づいて、第１波形と類似する他の波形のＱＴ間隔の終点に相当する計測点が自動的に修正される。このように、ＱＴ間隔の終点に相当する計測点の修正作業を行う操作者の負荷を大きく減らすことが可能となる。
【００２２】
本発明の一態様に係る計測点自動修正装置は、
時間軸上に周期的に現れる複数波形を有する生体情報波形を表す生体情報波形データを取得するように構成された取得部と、
前記生体情報波形に含まれる各々の波形の所定の計測項目を計測するための複数の計測点を決定することで、前記生体情報波形データを自動的に解析するように構成された自動解析部と、
前記生体情報波形及び各計測点を示す計測点表示体を表示部に表示させるように構成された表示制御部と、
操作者からの入力操作に従って、前記複数波形のうちの第１波形の前記所定の計測項目を計測するための第１計測点を修正するように構成された第１修正部と、
前記修正された第１計測点を参照計測点として記録するように構成された記録部と、
前記第１波形と類似する波形を前記複数波形から抽出するように構成された抽出部と、
前記参照計測点に基づいて、前記抽出された波形の前記所定の計測項目を計測するための計測点を自動的に修正するように構成された第２修正部と、
を備える。
【００２３】
上記構成によれば、操作者からの入力操作に従って修正された第１計測点が参照計測点として記録され、当該参照計測点に基づいて第１波形と類似する他の波形の計測点が自動的に修正される。
このように、計測点の修正作業を行う操作者の負荷を軽減することが可能な計測点自動修正装置を提供することができる。
さらに、当該計測点自動修正装置を用いることで、生体情報波形の解析結果に基づく診断を早く行うことが可能となる。
【００２４】
本発明の一態様に係る計測点自動修正プログラムは、
時間軸上に周期的に現れる複数波形を有する生体情報波形を表す生体情報波形データを取得する機能と、
前記生体情報波形に含まれる各々の波形の所定の計測項目を計測するための複数の計測点を決定することで、前記生体情報波形データを自動的に解析する機能と、
前記生体情報波形及び各計測点を示す計測点表示体を表示部に表示させる機能と、
操作者からの入力操作に従って、前記複数波形のうちの第１波形の前記所定の計測項目を計測するための第１計測点を修正する機能と、
前記修正された第１計測点を参照計測点として記録する機能と、
前記第１波形と類似する波形を前記複数波形から抽出する機能と、
前記参照計測点に基づいて、前記抽出された波形の前記所定の計測項目を計測するための計測点を自動的に修正する機能と、
をコンピュータに実現させる。
【００２５】
上記構成によれば、操作者からの入力操作に従って修正された第１計測点が参照計測点として記録され、当該参照計測点に基づいて第１波形と類似する他の波形の計測点が自動的に修正される。
このように、計測点の修正作業を行う操作者の負荷を軽減することが可能な計測点自動修正プログラムを提供することができる。
さらに、当該計測点自動修正プログラムを用いることで、生体情報波形の解析結果に基づく診断を早く行うことが可能となる。
【００２６】
また、上記計測点自動修正プログラムが記憶されたコンピュータ読取可能な記憶媒体が提供される。
【発明の効果】
【００２７】
本発明によれば、計測点の修正作業を行う操作者の負荷を軽減することが可能な計測点自動修正方法を提供することができる。
【図面の簡単な説明】
【００２８】
【図１】本発明の一実施形態に係る計測点自動修正装置を示すハードウェア構成図である。
【図２】制御部の機能ブロック図である。
【図３】ＱＴ間隔を計測するための終点を自動修正するプロセスを説明するためのフローチャートである。
【図４】（ａ）操作者の入力操作前における表示部に表示された心電図波形と計測点表示ラインを示す図である。（ｂ）操作者の入力操作直後における表示部に表示された心電図波形とリファレンス領域を示す図である。（ｃ）指定された心拍波形に類似する他の心拍波形の終点が自動修正された後における表示部に表示された心電図波形と計測点表示ラインを示す図である。
【発明を実施するための形態】
【００２９】
以下、本発明の実施形態について図面を参照しながら説明する。尚、本実施形態の説明において既に説明された要素と同一の参照番号を有する要素については、説明の便宜上、その説明は省略する。
【００３０】
図１は、本発明の一実施形態に係る計測点自動修正装置１（以下、説明の便宜上、適宜「修正装置１」と呼ぶ。）のハードウェア構成図を示す。図１に示すように、修正装置１は、制御部２と、記憶部３と、ネットワークインターフェース４と、表示部５と、入力インターフェース６を備える。これらの要素はバス７を介して互いに通信可能に接続されている。
【００３１】
修正装置１は、例えば、パーソナルコンピュータ、スマートフォン、タブレット、Ａｐｐｌｅ  Ｗａｔｃｈ等のウェアラブルデバイス又は波形解析用の専用装置である。
【００３２】
制御部２は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭ又は記憶部３に組み込まれた各種プログラムから指定されたプログラムをＲＡＭ上に展開し、ＲＡＭとの協働で各種処理を実行するように構成されている。
【００３３】
特に、プロセッサが計測点自動修正プログラムをＲＡＭ上に展開し、ＲＡＭとの協働で計測点自動修正プログラムを実行することで、制御部２は、修正装置１の各種動作を制御してもよい。制御部２及び計測点自動修正プログラムの詳細については後述する。
【００３４】
記憶部３は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ等の記憶装置であって、プログラムや各種データを格納するように構成されている。記憶部３には、計測点自動修正プログラムやホルター心電図等によって取得された患者の心電図波形データ（生体情報波形データの一例）が格納されていてもよい。
【００３５】
ネットワークインターフェース４は、修正装置１をＬＡＮ（Ｌｏｃａｌ  Ａｒｅａ  Ｎｅｔｗｏｒｋ）やインターネット等の通信ネットワークに接続するように構成されている。例えば、修正装置１によって得られた解析結果は、ネットワークインターフェース４を介してＬＡＮ上に配置されたホストコンピュータに送信されてもよい。また、心電図波形データは、ネットワークインターフェース４を介してホルター心電図から無線送信されてもよい。
【００３６】
表示部５は、心電図波形（生体情報波形の一例）や後述する計測点表示ラインを表示するように構成されている。表示部５は、例えば、液晶ディスプレイ、有機ＥＬディスプレイ等である。
【００３７】
入力インターフェース６は、修正装置１を操作する操作者の入力操作を受付けるように構成されており、例えば、表示部５上に重ねて配置されたタッチパネル、筐体に取り付けられた操作ボタン、マウス、キーボード等である。操作者は、表示部５に表示される心電図波形を確認しながら、入力インターフェース６を通じて修正装置１に対して所定の操作を行うことができる。
【００３８】
図２は、制御部２の機能ブロック図を示す。図２に示すように、制御部２は、取得部２１と、入力受付部２２と、解析部２３と、表示制御部２４と、記録部２５を備える。
【００３９】
取得部２１は、記憶部３に記憶された又はネットワークインターフェース４を介して送信された心電図波形データを取得するように構成されている。尚、心電図波形データは、時間軸上に周期的に現れる複数の心拍波形を有する心電図波形を表すデータであって、生体情報波形データの一例である。
【００４０】
入力受付部２２は、入力インターフェース６を通じた操作者の入力操作に対応する操作信号を生成するように構成されている。解析部２３は、心電図波形データを解析するように構成されており、自動解析部２６と、第１修正部２７と、第２修正部２８と、抽出部２９とを備える。自動解析部２６は、心電図波形データを自動的に解析するように構成されている。特に、自動解析部２６は、複数の心電図波形に含まれる各々の心拍波形のＱＴ間隔を計測するための複数のＱＴ間隔の始点Ｓ及び終点Ｅ（図４参照）を決定した上で、ＱＴ間隔を算出するように構成されている。ここで、ＱＴ間隔とは、心拍波形のＱ波の始まりからＴ波の終わりに至るまでの間隔をいう。尚、ＱＴ間隔は、計測項目の一例であるとともに、ＱＴ間隔の始点Ｓ及び終点Ｅは、計測点の一例である。第１修正部２７と、第２修正部２８と、抽出部２９の機能については後述する。
【００４１】
表示制御部２４は、取得部２１によって取得された心電図波形データに基づいて心電図波形を生成し、当該生成された心電図波形を表示部５上に表示させるように構成されている。また、表示制御部２４は、解析部２３によって取得されたＱＴ間隔の始点Ｓ及び終点Ｅを示す計測点表示ラインＬｓ，Ｌｅ（図４参照）を心電図波形に重ねて表示部５上に表示させるように構成されている。計測点表示ラインＬｓ，Ｌｅは計測点表示体の一例である。尚、計測点表示体は、計測点を表示可能なものであれば特に限定されず、例えば、ラインの他に矢印や点等であってもよい。
【００４２】
記録部２５は、解析部２３によって取得された解析結果（例えば、各心拍波形のＱＴ間隔、始点Ｓ、終点Ｅ及び後述する参照終点等）を記録するように構成されている。また、記録部２５によって記録されたデータは、記憶部３に保存されてもよい。
【００４３】
次に、計測点の一例であるＱＴ間隔を計測するための終点Ｅを自動修正するプロセスについて図３及び図４を参照して説明する。図３は、ＱＴ間隔の終点Ｅを自動修正するプロセスを説明するためのフローチャートである。図４（ａ）は、操作者の入力操作前における表示部５に表示された心電図波形と計測点表示ラインＬｓ，Ｌｅを示す図である。図４（ｂ）は、操作者の入力操作直後における表示部５に表示された心電図波形とリファレンス領域Ｒｒを示す図である。図４（ｃ）は、心拍波形Ｗｒ（第１波形）と類似する他の心拍波形の終点Ｅが自動修正された後における表示部５に表示された心電図波形と計測点表示ラインＬｓ，Ｌｅを示す図である。尚、図３に示すプロセスは、操作者がＱＴ間隔の終点Ｅを自動修正することを前提としている。操作者がＱＴ間隔の終点Ｅを修正しない場合（つまり、自動解析部２６によって決定された終点Ｅが正しい場合）、ステップＳ１３でＱＴ間隔を計測するプロセスは終了する。
【００４４】
図３のフローチャートに示すように、ステップＳ１１において、取得部２１は、記憶部３に記憶された又はネットワークインターフェース４を介して送信された心電図波形データを取得する。ステップＳ１２において、自動解析部２６は、心電図波形の各々の心拍波形のＱＴ間隔を計測するための始点Ｓ及び終点Ｅを決定することで、心電図波形データのＱＴ間隔を演算する。また、記録部２５は、自動解析部２６によって解析された各心拍波形のＱＴ間隔、始点Ｓ及び終点Ｅを記録する。
【００４５】
次に、ステップＳ１３において、図４（ａ）に示すように、表示制御部２４は、始点Ｓを表示する複数の計測点表示ラインＬｓと終点Ｅを表示する複数の計測点表示ラインＬｅを心電図波形に重ねて表示部５に表示する。
【００４６】
ここで、自動解析部２６は、周知の演算手法によって始点Ｓ及び終点Ｅを決定しているが、自動解析部２６によって正しい終点Ｅを決定することは難しい。特に、自動解析部２６は終点ＥをＴ波のピーク周辺と誤認する傾向がある。このため、図４（ａ）に示すように、各計測点表示ラインＬｅが正しい位置に表示されず、幾つかの計測点表示ラインＬｅはＴ波のピーク付近の位置に表示されている。一方、始点Ｓは自動解析部２６によって比較的高い精度で決定できるため、図４（ａ）に示すように、各計測点表示ラインＬｓは正しい位置に表示されている。
【００４７】
次に、入力インターフェース６に対する操作者からの入力操作があると（ステップＳ１４でＹＥＳ）、入力受付部２２は当該入力操作に対応する操作信号を生成する。その後、第１修正部２７は、入力受付部２２により生成された操作信号に従って、心拍波形Ｗｒ（第１波形）のＱＴ間隔を計測するための終点Ｅ（第１計測点）を修正する（ステップＳ１５）。一方、入力インターフェース６に対する操作者からの入力操作がない場合（ステップＳ１４でＮＯ）、入力受付部２２は当該入力操作が入力されるまで待機する。
【００４８】
具体的には、図４（ｂ）に示すように、操作者が入力インターフェース６を通じて心拍波形Ｗｒのリファレンス領域Ｒｒを設定すると、当該リファレンス領域Ｒｒが心電図波形に重ねられて表示部５に表示される。ここで、リファレンス領域Ｒｒの左境界ラインＢｓは心拍波形ＷｒのＱＴ間隔の始点Ｓを示し、リファレンス領域Ｒｒの右境界ラインＢｅは心拍波形ＷｒのＱＴ間隔の終点Ｅを示す。つまり、操作者は、左境界ラインＢｓが始点Ｓの位置に対応すると共に、右境界ラインＢｅが終点Ｅに対応するように、リファレンス領域Ｒｒを心拍波形Ｗｒに対して設定することで、入力受付部２２は、当該操作者の入力操作に対応する操作信号を生成する。入力受付部２２は当該操作信号を第１修正部２７に送信し、第１修正部２７は当該操作信号に従って、記録部２５に記憶された心拍波形ＷｒのＱＴ間隔の終点Ｅを修正する（ステップＳ１５）。その後、記録部２５は、第１修正部２７によって修正された終点Ｅを参照終点Ｅｒ（参照計測点）として記録する（ステップＳ１６）。
【００４９】
次に、抽出部２９は、操作者によって指定された心拍波形Ｗｒと類似する心拍波形を心電図波形から抽出する（ステップＳ１７）。ここで、抽出部２９は相関関数または最短距離法を用いて心拍波形Ｗｒと類似する心拍波形を心電図波形から抽出する。ここで、心拍波形Ｗｒと類似する心拍波形は、所定の類似度に基づいて決定することができる。
例えば、心拍波形Ｗｒと別の心拍波形との間の類似度が所定の類似度以上である場合、当該別の心拍波形は心拍波形Ｗｒと類似していると決定される。一方、心拍波形Ｗｒと別の心拍波形との間の類似度が所定の類似度より小さい場合、当該別の心拍波形は心拍波形Ｗｒと非類似であると決定される。また、操作者は、入力インターフェース６を通じて所定の類似度を適宜変更してもよい。
【００５０】
次に、第２修正部２８は、記録部２５によって記録された参照終点Ｅｒに基づいて、抽出部２９によって抽出された心拍波形のＱＴ間隔を計測するための終点Ｅを自動的に修正する（ステップＳ１８）。その後、記録部２５は、第２修正部２８によって修正された終点Ｅを記録する。また、図４（ｃ）に示すように、表示制御部２４は、修正された終点Ｅを示す計測点表示ラインＬｅと、計測点表示ラインＬｓを心電図波形に重ねて表示部５に表示する（ステップＳ１９）。尚、本実施形態では、図４（ｃ）に示す計測点表示ラインＬｓの表示位置と、図４（ａ）に示す計測点表示ラインＬｓの表示位置は同一であるものとして説明している。
【００５１】
本実施形態によれば、操作者からの入力操作に従って修正された終点Ｅが参照終点Ｅｒとして記録され、参照終点Ｅｒに基づいて心拍波形Ｗｒと類似する他の心拍波形の終点Ｅが自動的に修正される。この点において、ＱＴ間隔は自動計測が難しい計測項目であるため、解析装置等はＱＴ間隔を計測するための終点Ｅを間違って決定する傾向がある。このため、操作者は誤って決定された終点Ｅの全てを手作業により修正する必要があり、終点Ｅの修正作業に多大な手間を要していた。
【００５２】
このように、本実施形態によれば、終点Ｅの修正作業を行う操作者の負荷を軽減することが可能な計測点自動修正装置１及び計測点自動修正方法を提供することができる。さらに、計測点自動修正装置１又は計測点自動修正方法を用いることで、心電図波形の解析結果に基づく診断を早く行うことが可能となり、より迅速な医療サービスを患者に提供することが可能となる。
【００５３】
また、本実施形態に係る計測点自動修正装置１及び計測点自動修正方法は、大量の心拍波形を有する心電図波形に特に有利に用いられる。
【００５４】
また、本実施形態によれば、第２修正部２８によって修正された終点Ｅが示す計測点表示ラインＬｅが表示部５に表示されるので、操作者は修正された終点Ｅが正しいかどうかを目視で確認することができる。
【００５５】
また、本実施形態では、図４（ｂ）に示すリファレンス領域Ｒｒが設定されたときに、第１修正部２７が心拍波形Ｗｒの終点Ｅを修正するものとして説明したが、これとは別に様々な操作者の入力操作の例が考えられる。例えば、誤った位置に表示された操作入力ラインＬｅ（第１計測点表示体）をタッチパネル等の入力インターフェース６を介して操作者が正しい位置までスライドさせることが考えられる。この場合、当該操作入力ラインＬｅに対する操作者のスライド操作に従って、第１修正部２７が心拍波形Ｗｒの終点Ｅを修正した後、第２修正部２８が心拍波形Ｗｒと類似する他の心拍波形の終点Ｅを自動的に修正する。
【００５６】
本実施形態に係る計測点自動修正装置１は、ハードウェア又はソフトウェアにより実現することができる。例えば、計測点自動修正装置１をソフトウェアによって実現するためには、計測点自動修正プログラムが記憶部３又はＲＯＭに予め組み込まれていてもよい。または、計測点自動修正プログラムは、磁気ディスク、光ディスク（ＣＤ−ＲＯＭ，ＤＶＤ等）、光磁気ディスク（ＭＤ等）、ＳＤカード、ＵＳＢメモリ等のコンピュータ読取可能な記憶媒体に格納されていてもよい。この場合、記憶媒体が計測点自動修正装置１に接続されることで、当該記憶媒体に格納された計測点自動修正プログラムが、記憶部３に組み込まれる。そして、記憶部３に組み込まれた当該プログラムがＲＡＭ上にロードされて、プロセッサがロードされた当該プログラムを実行することで、制御部２は図３に示す各種処理を実行する。換言すれば、当該プログラムがプロセッサにより実行されることで、制御部２は、取得部２１、入力受付部２２、解析部２３、表示制御部２４、記録部２５としてそれぞれ機能する。
【００５７】
また、計測点自動修正プログラムは、インターネットやＬＡＮ等のネットワーク上のコンピュータからネットワークインターフェース４を介してダウンロードされてもよい。この場合も同様に、ダウンロードされた当該プログラムが記憶部３に組み込まれる。
【００５８】
以上、本発明の実施形態について説明をしたが、本発明の技術的範囲が本実施形態の説明によって限定的に解釈されるべきではないのは言うまでもない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００５９】
本実施形態では、計測項目としてＱＴ間隔のみが説明されているが、本実施形態はこれには限定されない。計測項目としては、ＱＴ間隔以外にもＲＲ間隔等であってもよい。ここで、ＲＲ間隔とは、互いに隣接する心拍波形のＲ波とＲ波との間の間隔をいう。ＲＲ間隔が計測項目の場合、図３及び図４に示す終点Ｅの自動修正方法と略同一の方法に従って、ＲＲ間隔の計測点を自動修正することができる。
【００６０】
また、本実施形態では、ＱＴ間隔の終点Ｅの自動修正のみが説明されているが、本実施形態はこれには限定されない。例えば、ＱＴ間隔の始点Ｓのみが自動修正されてもよいし、ＱＴ間隔の始点Ｓ及び終点Ｅの両方が自動修正されてもよい。始点Ｓの自動修正方法は、図３及び図４に示す終点Ｅの自動修正方法と略同一である。また、ＲＲ間隔等についても同様である。
【００６１】
また、本実施形態では、生体情報波形データとして心電図波形データのみが説明されているが、本実施形態はこれには限定されない。脈波等の時間軸上に周期的に現れる複数波形を有する生体情報波形であれば、本実施形態に係る計測点自動修正装置及び計測点自動修正方法を適用可能である。つまり、生体情報波形の所定の計測項目を計測するための複数の計測点を操作者の手作業により修正する必要がある場合に、本実施形態に係る計測点自動修正装置は特に有用である。
【符号の説明】
【００６２】
１：計測点自動修正装置（修正装置）
２：制御部
３：記憶部
４：ネットワークインターフェース
５：表示部
６：入力インターフェース
７：バス
２１：取得部
２２：入力受付部
２３：解析部
２４：表示制御部
２５：記録部
２６：自動解析部
２７：第１修正部
２８：第２修正部
２９：抽出部
【図１】
0006656835.tif 000002
【図２】
0006656835.tif 000003
【図３】
0006656835.tif 000004
【図４】
0006656835.tif 000005